(57)【要約】【課題】横臥姿勢へ移行させ易いとともに、圧迫感や窮屈さを感じさせることなく横臥姿勢を維持させることができる横臥姿勢用マットレスを提供すること。【解決手段】長手方向本体部１５の両側の凹部１７，１８によって左右いずれの向きへの横臥姿勢へも移行させ易く、しかも凹部１７，１８，２０とこれに設けた凹部用芯材２１〜２３とで圧迫感を与えることなく横臥姿勢の肩や臀部などを支えるようにし、長手方向本体部１５で後方（水平方向）から人体背部を支えるとともに幅方向本体部１６で下方から人体胴部を支えて継続的に横臥姿勢を維持できるようにしている。【選択図】図２
2007136049.tif 000002
【特許請求の範囲】
【請求項１】
凹部を有する芯材本体と、凹部に設ける凹部用芯材とで構成し、前記芯材本体は幅方向中間で長手方向に延びる適宜幅の長手方向本体部およびこの長手方向本体部に人体胴部に対応する位置で交差して幅方向に延びる適宜幅の幅方向本体部を凹部により形成しており、これら本体部で仕切られる４つの凹部は、肩上腕部に対応する２つの肩上腕部用凹部および臀部に対応する２つの臀部用凹部であり、前記凹部用芯材は、芯材本体の素材より柔らかい素材で構成したことを特徴とする横臥姿勢用マットレス。
【請求項２】
前記芯材本体の上面と前記凹部用芯材の上面とを、平坦な連続面としたことを特徴とする請求項１記載の横臥姿勢用マットレス。
【請求項３】
前記各芯材を合成樹脂発泡体で構成し、前記凹部用芯材の硬さを、４０〜９０Ｎ（ＪＩＳＫ６４００：Ｄ法）とし、前記芯材本体の硬さを前記凹部用芯材より６０〜１２０Ｎ硬くする一方、前記芯材本体の厚さを６０ｍｍ以上、前記凹部用芯材のうち肩上腕部用の厚さを３０〜５０ｍｍ、臀部用の厚さを１０〜３０ｍｍとし、臀部用は肩上腕部用より１５ｍｍ以上薄くしたことを特徴とする請求項１または２記載の横臥姿勢用マットレス。
【請求項４】
肩上腕部用の凹部用芯材を、低反発ポリウレタンフォームで構成したことを特徴とする請求項１〜３のいずれかに記載の横臥姿勢用マットレス。
【発明の詳細な説明】
【技術分野】
【０００１】
この発明は、敷き布団として使用される横臥姿勢用マットレスに関し、横臥姿勢での肩上腕部や臀部の圧迫を抑えて横臥姿勢を維持し易くしたものである。
【背景技術】
【０００２】
従来、健康な生活を送るためには、安眠は重要な要素の1つであり、就寝時に使用する敷き布団やマットレス等について、その材質、形状などが種々研究開発されている。
【０００３】
近年、無呼吸症候群対策やいびきの抑制には、横臥姿勢による就寝が効果的であるとされており、睡眠中に横臥姿勢になった場合でも肩部や上腕部に圧迫感を感じないようにできるマットレスが特許文献1に開示されている。
【０００４】
このマットレスでは、図４に示すように、枕下部１と胴体部２との間に溝部３を形成するとともに、胴体部２の上方中央部付近に溝部３内に突き出す突出部４を設けて構成してある。
【特許文献１】実開平１−６１１６３号公報
【発明の開示】
【発明が解決しようとする課題】
【０００５】
このような溝部を形成したマットレスでは、横臥姿勢になった場合の肩部や上腕部の圧迫感を改善することができるものの、この溝部だけでは、使用者の体形に必ずしもフィットせず、横臥姿勢の人体の他の部分が窮屈になったり、圧迫感が現れるという問題がある。
【０００６】
また、肩部や上腕部に対応する部分に溝部を形成した図４のようなマットレスでは、最も安定する姿勢は仰臥姿勢での就寝であり、横臥姿勢へ積極的に移行させ、この姿勢を維持するようにはされていない。
【０００７】
この発明は、上記従来技術の問題点に鑑みてなされたもので、横臥姿勢へ移行させ易いとともに、圧迫感や窮屈さを感じさせることなく横臥姿勢を維持させることができる横臥姿勢用マットレスを提供しようとするものである。
【課題を解決するための手段】
【０００８】
そこで、就寝時の人体横臥姿勢について鋭意検討を重ねた結果、横臥姿勢で肩部や臀部等の下方に突き出す部分に対しては圧迫を避けるため溝等の凹部を形成するだけでは足りず突き出す部分があっても突き出し量に応じて圧迫せずに支える必要があるとともに、人体背部を後方から支えることが横臥姿勢を維持するために必要であることを見出し、この発明を完成したものである。
【０００９】
すなわち、上記課題を解決するため、この発明の請求項１記載の横臥姿勢用マットレスは、凹部を有する芯材本体と、凹部に設ける凹部用芯材とで構成し、前記芯材本体は幅方向中間で長手方向に延びる適宜幅の長手方向本体部およびこの長手方向本体部に人体胴部に対応する位置で交差して幅方向に延びる適宜幅の幅方向本体部を凹部により形成しており、これら本体部で仕切られる４つの凹部は、肩上腕部に対応する２つの肩上腕部用凹部および臀部に対応する２つの臀部用凹部であり、前記凹部用芯材は、芯材本体の素材より柔らかい素材で構成したことを特徴とするものである。
【００１０】
ここで、長手方向本体部の適宜幅は、この本体部を支軸として使用者を横臥姿勢へ移行させるために人体の胸部横幅に応じて定められるもので、成人男子の胸部横幅が平均２８０ｍｍ程度であるから、２０〜２００ｍｍとされ、使用者が小柄ないし大柄であるかによって変更される。
【００１１】
また、幅方向本体部の適宜幅は、水平方向から人体を支える長手方向本体部の有効長および下方から人体胴部を支えるために定められ、あまり広くすると、長手方向本体部の有効長が短くなり、あまり狭くすると下方から人体胴部を支えられないので、４０〜２００ｍｍとされ、使用者が小柄ないし大柄であるかによって変更される。
【００１２】
さらに、この発明の請求項２記載の横臥姿勢用マットレスは、請求項1記載の構成に加え、前記芯材本体の上面と前記凹部用芯材の上面とを、平坦な連続面としたことを特徴とするものである。
【００１３】
また、この発明の請求項３記載の横臥姿勢用マットレスは、請求項１または２記載の構成に加え、前記各芯材を合成樹脂発泡体で構成し、前記凹部用芯材の硬さを、４０〜９０Ｎ（ＪＩＳＫ６４００：Ｄ法）とし、前記芯材本体の硬さを前記凹部用芯材より６０〜１２０Ｎ硬くする一方、前記芯材本体の厚さを６０ｍｍ以上、前記凹部用芯材のうち肩上腕部用の厚さを３０〜５０ｍｍ、臀部用の厚さを１０〜３０ｍｍとし、臀部用は肩上腕部用より１５ｍｍ以上薄くしたことを特徴とするものである。
【００１４】
さらに、この発明の請求項４記載の横臥姿勢用マットレスは、請求項１〜３のいずれかに記載の構成に加え、前記凹部用芯材を、低反発ポリウレタンフォームで構成したことを特徴とするものである。
【発明の効果】
【００１５】
この発明の請求項１記載の横臥姿勢用マットレスによれば、凹部を有する芯材本体と、凹部に設ける凹部用芯材とで構成し、前記芯材本体は幅方向中間で長手方向に延びる適宜幅の長手方向本体部およびこの長手方向本体部に人体胴部に対応する位置で交差して幅方向に延びる適宜幅の幅方向本体部を凹部により形成しており、これら本体部で仕切られる４つの凹部は、肩上腕部に対応する２つの肩上腕部用凹部および臀部に対応する２つの臀部用凹部であり、前記凹部用芯材は、芯材本体の素材より柔らかい素材で構成したので、使用者は、長手方向本体部を支軸として左右いずれの向きへの横臥姿勢へも移行し易く、しかも横臥姿勢において、肩上腕部用凹部に設けた凹部用芯材で左右いずれかの肩部や上腕部を沈み込ませつつ肩部や上腕部を支えることができ、また長手方向本体部で後方（水平方向）から人体背部を支えることができ、さらに幅方向本体部で下方から人体胴部を支えることができて、肩部や上腕部に圧迫感を感じることなく横臥姿勢を継続的に維持することができる。
【００１６】
さらに、この発明の請求項２記載の横臥姿勢用マットレスによれば、前記芯材本体の上面と前記凹部用芯材の上面とを、平坦な連続面としたので、段差による圧迫感などの不具合をなくすことができるとともに、上面が平坦に連続していることで繰り返し荷重に対するマットレス自体の耐久性を向上する。
【００１７】
また、この発明の請求項３記載の横臥姿勢用マットレスによれば、前記各芯材を合成樹脂発泡体で構成し、凹部用芯材の硬さを、４０〜９０Ｎ（ＪＩＳＫ６４００：Ｄ法）とし、前記芯材本体の硬さを前記凹部用芯材より６０〜１２０Ｎ硬くする一方、前記芯材本体の厚さを６０ｍｍ以上、前記凹部用芯材のうち肩上腕部用の厚さを３０〜５０ｍｍ、臀部用の厚さを１０〜３０ｍｍとし、臀部用は肩上腕部用より１５ｍｍ以上薄くしたので、人体による荷重や突き出し量も加味して硬さおよび厚さをこれらの範囲に定めたので、使用者は横臥姿勢を継続的にしかも優れた心地良さで維持することができる。
【００１８】
さらに、この発明の請求項４記載の横臥姿勢用マットレスによれば、肩上腕部用の凹部用芯材を、低反発ポリウレタンフォームで構成したので、横臥姿勢の使用者の肩部や上腕部に対する圧迫がより一層小さくなる。
【発明を実施するための最良の形態】
【００１９】
以下、この発明の一実施の形態について図面を参照して詳細に説明する。  
図１〜図３は、この発明の横臥姿勢用マットレスの一実施の形態にかかり、図１は概略斜視図、図２は人体と対応させて示した平面図および側面図、図３は横臥姿勢での使用状態の説明図である。
【００２０】
この横臥姿勢用マットレス１０は、合成樹脂発泡体の芯材本体１１および凹部用芯材２１，２２，２３を備えており、通常の敷きマットレスと同様の大きさとされ、例えば長さが約２０００ｍｍ、幅が約１０００ｍｍ、厚さが６０ｍｍ〜１００ｍｍとされ、３つに折り畳むことができるよう、２箇所の折り畳み部１１ａで等分に３分割された上部芯材１２、中間部芯材１３および下部芯材１４で構成してある。
【００２１】
この芯材本体１１では、上部芯材１２の長手方向中間から下端および中間部芯材１３のほぼ全体に、幅方向中間にあり長手方向に延びる適宜幅の長手方向本体部１５を設け、中間部芯材１３の上端側の領域に幅方向に延びる適宜幅の幅方向本体部１６を設け、長手方向本体部１５と幅方向本体部１６とで十字状に仕切られた４つの領域に本体部１５,１６に対して凹んだ４つの凹部１７，１８を設けてある。
【００２２】
さらに、この芯材本体１１には、中間部芯材１３と下部芯材１４にまたがった下部幅方向本体部１９を設けるとともに、この下部幅方向本体部１９の下方側の領域に本体部１９に対して凹んだ幅方向全体の凹部２０を設けてある。
【００２３】
したがって、この横臥姿勢用マットレス１０では、芯材本体１１の上面に合計５つの凹部１７，１８，２０が形成され、これらの凹部以外は、芯材本体１１の厚さに等しい平坦面となっている。
【００２４】
この芯材本体１１に設けた長手方向本体部１５は、横臥姿勢の際の人体背部を後方から支えるための部分であり、幅方向本体部１６は、横臥姿勢の際の人体胴部を下方から支えるための部分である。
【００２５】
この長手方向本体部１５は、幅を８０〜２００ｍｍとし、芯材本体１１の上部芯材１２の上端から３００ｍｍ程度あけるとともに、中間部芯材１３の下端から１００ｍｍ程度あけて設けてあり、幅方向本体部１６は、幅を４０〜２００ｍｍとし、中間部芯材１３の上端側の領域に設けてある。
【００２６】
また、中間部芯材１３と下部芯材１４にまたがって設けた下部幅方向本体部１９は中間部芯材１３部分での幅を１００ｍｍ程度、下部芯材１４部分での幅を２００ｍｍ程度としてある。
【００２７】
一方、この芯材本体１１の凹部１７,１８,２０のうち、長手方向本体部１５の凹部１７は横臥姿勢の人体肩部および上腕部を沈み込ませるための肩上腕部用凹部とされ、凹部１８は横臥姿勢の人体臀部を沈み込ませるための臀部用凹部とされる。また、幅全体の凹部２０は脚部を沈み込ませるための脚部用凹部とされる。
【００２８】
さらに、これら肩上腕部用凹部１７、臀部用凹部１８および脚部用凹部２０には、それぞれ芯材本体１１を構成する合成樹脂発泡体より柔らかい合成樹脂発泡体で構成した凹部用芯材２１,２２,２３が嵌め込んであり、凹部用芯材２１,２２,２３の硬さを４０〜９０Ｎ（ＪＩＳＫ６４００：Ｄ法）とし、芯材本体１１の硬さを凹部用芯材の硬さより６０〜１２０Ｎ硬くしてある（芯材本体の硬さを１００〜２１０Ｎ）。
【００２９】
そして、それぞれの凹部用芯材２１,２２,２３は凹部１７,１８,２０に接着してあり、かつ凹部用芯材２１,２２,２３の上面が芯材本体１１の上面と平坦な連続面をなすようにしてある。 
凹部１７,１８,２０に嵌め込む凹部用芯材２１,２２,２３の硬さが４０Ｎ未満、あるいは９０Ｎ以上であると、横臥姿勢において一般的な体格の使用者に対して体圧分散性が良好に発揮されないことがある。
【００３０】
また、芯材本体１１の硬さと凹部用芯材２１,２２,２３の硬さの差が６０Ｎ未満であると、横臥姿勢に移行させづらく、横臥姿勢を維持させづらくなる一方、１２０Ｎを越えると、芯材本体１１と凹部用芯材２１，２２，２３との境で硬さの差が大きすぎて、この境で体圧分散性が悪化して使用者に異物感を感じさせることがある。
【００３１】
この肩上腕部用凹部１７の深さおよび凹部用芯材２１の厚さは、横臥姿勢の人体肩部および上腕部が沈み込んだ状態で支えられるように、３０〜５０ｍｍとされ、臀部用凹部１８の深さおよび凹部用芯材２２の厚さは、横臥姿勢の人体臀部が沈み込んだ状態で支えられるように、１０〜３０ｍｍとされ、臀部用の深さおよび厚さは、肩上腕部用のものに比べ１５ｍｍ以上浅く（薄く）、例えば１５〜４０ｍｍ浅く（薄く）してある。脚部用凹部２０の深さおよび凹部用芯材２３の厚さは、３０ｍｍ程度とされる。なお、芯材本体１１の厚さは、重量や収納性などの観点より６０ｍｍ〜１００ｍｍとされる。
【００３２】
また、横臥姿勢用マットレス１０は上面全体を平坦面とすると良いが、凹部用芯材の存在する部分が多少盛り上がっていても、あるいはくぼんでいてもよい。その際の「盛り上がり」や「くぼみ」は１０ｍｍ以内とすることが適当である。
【００３３】
肩上腕部用凹部１７の深さおよび凹部用芯材２１の厚さは、３０ｍｍ未満であると、横臥姿勢における人体肩部や上腕部の圧迫を小さくできないことがあり、５０ｍｍを越えても圧迫を小さくする効果があまり増加しない傾向である。
【００３４】
臀部用凹部１８の深さおよび凹部用芯材２２の厚さを１０〜３０ｍｍと比較的小さくしている理由は、肩部および上腕部の沈み込みを大きくする一方、人体臀部の沈み込みを小さくすることが、横臥姿勢における人体全体に対する体圧分散性を良好にするからである。
【００３５】
そして、これら凹部用芯材２１,２２,２３として低反発ポリウレタンフォームの合成樹脂発泡体が用いられる。これは、荷重を解放したときにゆっくりと復元する性質を有するもので、一般のポリウレタンフォームよりも高いガラス転移点（常温あるいは常温付近）を有する常温で柔軟であるが適度に弾性が喪失しているフォームをいい、これを用いることで、横臥姿勢における人体肩部や上腕部および臀部への圧迫感をより小さくすることができる。
【００３６】
なお、この横臥姿勢用マットレス１０では、使用に際して通気性のカバーが被せられる。
【００３７】
このように構成した横臥姿勢用マットレス１０では、芯材本体１１の中央部に長手方向本体部１５が設けられてその両側の肩上腕部用凹部１７および臀部用凹部１８に柔らかい凹部用芯材２１、２２が嵌め込んであるので、長手方向本体部１５を境にして両側がやわらかく、使用者を左右いずれへも横臥姿勢へ移行させ易く、しかも横臥姿勢の肩部や上腕部が肩上腕部用凹部１７に沈み込んだ状態で凹部用芯材２１で支えられ、臀部が臀部用凹部１８に沈み込んだ状態で凹部用芯材２２で支えられて、圧迫感を小さくすることができる。
【００３８】
さらに、横臥姿勢の人体胴部が幅方向本体部１６で下方から支えられるとともに、横臥姿勢の人体背部の肩部から臀部までが、長手方向本体部１５で後方（水平方向）から支えられるので、人体各部に加わる圧迫を抑えて楽に横臥姿勢を維持することができる。
【００３９】
また、この横臥姿勢用マットレス１０では、凹部１７，１８，２０の凹形状にそれぞれ一致する形状の凹部用芯材２１,２２,２３が各凹部に接着してあり、凹部用芯材２１,２２,２３の上面が芯材本体１１の上面と平坦な連続面をなすようにしてあるので、横臥姿勢の使用者の体形にフィットして、人体を支えることができ、上面を平坦に連続させているので、繰り返し荷重に対するマットレス自体の耐久性を向上することもできる。
【００４０】
さらに、この横臥姿勢用マットレス１０では、凹部用芯材２１，２２，２３の硬さを、４０〜９０Ｎ（ＪＩＳＫ６４００：Ｄ法）とし、芯材本体１１の硬さを凹部用芯材より６０〜１２０Ｎ硬くする一方、芯材本体１１の厚さを６０ｍｍ以上、凹部用芯材２１，２２，２３のうち肩上腕部用の厚さを３０〜５０ｍｍ、臀部用の厚さを１０〜３０ｍｍとし、臀部用は肩上腕部用より１５ｍｍ以上薄くしたので、人体による荷重や人体の突き出し量に対応し、一層効果的に左右いずれの向きへの横臥姿勢へ移行させ易くすることができ、しかも一層圧迫感を与えることなく人体背部および人体胴部を支えて一層安定した横臥姿勢を維持することができる。
【００４１】
なお、上記実施の形態では、凹部やこれに嵌め込む凹部用芯材の形状については、直方体状とした場合を図示して説明したが、これに限らず他の形状としても良く、平面形状だけでなく、幅方向中央部側の凹部が深く両端部側が浅くなる傾斜状の凹部などとし、これに対応する形状の凹部用芯材を嵌め込むようにしても良い。
【００４２】
また、各部の寸法は、一般的な体格の使用者を前提としたものであり、体格が異なる場合には、適宜寸法を変更するようにすれば良い。
【００４３】
さらに、芯材本体を折り畳み可能とした場合を例に説明したが、一体の場合であっても良い。
【実施例】
【００４４】
密度３５ｋｇ／ｍ３、硬さ１３０Ｎのポリウレタンフォーム（ＰＵＦ）を用い、以下のような芯材本体１１を作製した。
【００４５】
芯材本体１１の上部芯材１２の部分は、３５×６７０×１０００ｍｍのＰＵＦ直方体の上面に、３５×３７０×１００ｍｍのＰＵＦ直方体を、上部芯材１２の上端の面が一致するようにして貼り合わせ、次に３５×３７０×１００ｍｍのＰＵＦ直方体を、幅方向中間に、長手方向に延びて上部芯材１２の下端の面が一致するようにして貼り合わせることで作製した。
【００４６】
芯材本体１１の中間部芯材１３の部分は、５５×６７０×１０００ｍｍのＰＵＦ直方体の上面に、１５×５０×１０００ｍｍのＰＵＦ直方体を、中間部芯材１３の上端の面が一致するようにして貼り合わせ、次に１５×１００×１０００ｍｍのＰＵＦ直方体を、中間部芯材１３の下端の面が一致するようにして貼り合わせ、次に１５×５２０×１００ｍｍのＰＵＦ直方体を、幅方向中間に、長手方向に延びて、中間部芯材１３の上端側と下端側を連結するようにして貼り合わせることで作製した。
【００４７】
芯材本体１１の下部芯材１４の部分は、４０×６７０×１０００ｍｍのＰＵＦ直方体の上面に、４０×２００×１０００ｍｍのＰＵＦ直方体を、下部芯材１４の上端の面が一致するようにして貼り合わせることで作製した。
【００４８】
このようにして作製した芯材本体１１には、深さ３５ｍｍの肩上腕部用凹部１７、深さ１５ｍｍの臀部用凹部１８、および深さ３０ｍｍの脚部用凹部２０が形成され、また幅１００ｍｍの長手方向本体部１５および幅５０ｍｍの幅方向本体部１６が形成されている。
【００４９】
次に、密度５０ｋｇ／ｍ３、硬さ５０Ｎの低反発ポリウレタンフォーム(低反発ＰＵＦ)を用い、肩上腕部用の凹部用芯材２１として、３５×３７０×４５０ｍｍの低反発ＰＵＦ直方体を２枚、臀部用の凹部用芯材２２として、１５×５２０×４５０ｍｍの低反発ＰＵＦ直方体を２枚、脚部用の凹部用芯材２３として、３０×４７０×１０００ｍｍの低反発ＰＵＦ直方体を１枚作製した。
【００５０】
以上の凹部用芯材２１、２２、２３を芯材本体１１の凹部１７、１８、２０にそれぞれ接着状態で嵌め込んで、この発明の横臥姿勢用マットレス１０を完成した。
【００５１】
なお、使用する場合には、通気性の生地のカバーを被せて使用する。
【００５２】
この横臥姿勢用マットレスを用い、一般的な体格の使用者が使用したところ、使用者は、長手方向本体部の左右いずれの向きへの横臥姿勢へも容易に移行でき、横臥姿勢において肩部や上腕部に圧迫感や窮屈さを感じることがなかった。
【００５３】
また、この横臥姿勢は、長手方向本体部で後方から人体背部が支えられるとともに幅方向本体部で下方から人体胴部が支えられ、継続的に優れた心地良さで維持されるものであった。
【図面の簡単な説明】
【００５４】
【図１】この発明の横臥姿勢用マットレスの一実施の形態にかかる概略斜視図である。
【図２】この発明の横臥姿勢用マットレスの一実施の形態にかかる人体と対応させて示した平面図および側面図である。
【図３】この発明の横臥姿勢用マットレスの一実施の形態にかかる横臥姿勢での使用状態の説明図である。
【図４】従来のマットレスの概略斜視図および概略断面図である。
【符号の説明】
【００５５】
１０              横臥姿勢用マットレス
１１              芯材本体
１１ａ            折り畳み部
１２              上部芯材
１３              中間部芯材
１４              下部芯材
１５              長手方向本体部
１６              幅方向本体部
１７              凹部（肩上腕部用凹部）
１８              凹部（臀部用凹部）
１９              下部幅方向本体部
２０              凹部（脚部用凹部）
２１              凹部用芯材（肩上腕部用）
２２              凹部用芯材（臀部用）
２３              凹部用芯材（脚部用）
【図１】
2007136049.tif 000003
【図２】
2007136049.tif 000004
【図３】
2007136049.tif 000005
【図４】
2007136049.tif 000006